(57)【要約】  本出願に提供される豆挽き装置は、研磨アセンブリと、調節アセンブリとを含み、前記研磨アセンブリは豆挽き室と外刃と内刃とを含み、前記外刃および前記内刃は前記豆挽き室の内部に位置し、前記調節アセンブリは少なくとも二段階の調節機構を含み、前記少なくとも二段階の調節機構は第一の調節機構と第二の調節機構とを含み、前記第一の調節機構と前記豆挽き室とはレールを通じて接続され、前記第二の調節機構と前記外刃はレールを通じて接続され、且つ前記第一の調節機構と前記第二の調節機構との軸方向における位置は相対的に固定されており、前記第一の調節機構および前記第二の調節機構は、前記外刃の高さを調節することで、前記外刃と前記内刃との間の距離を調節する。本出願は、前記豆挽き装置を含む豆挽き機能付きコーヒーメーカーをさらに提供する。【選択図】図１
2021508530.tif 000002
【特許請求の範囲】
【請求項１】
豆挽き室と外刃と内刃とを含む研磨アセンブリ、及び調節アセンブリを含み、前記外刃および前記内刃が前記豆挽き室の内部に位置する豆挽き装置において、
前記調節アセンブリは少なくとも二段階の調節機構を含み、前記少なくとも二段階の調節機構は第一の調節機構と第二の調節機構とを含み、前記第一の調節機構と前記豆挽き室はレールを通じて接続され、
前記第二の調節機構と前記外刃はレールを通じて接続され、
且つ前記第一の調節機構と前記第二の調節機構との軸方向における位置は相対的に固定されており、
前記第一の調節機構および前記第二の調節機構は、前記外刃の高さを調節することで前記外刃と前記内刃との間の距離を調節するように構成されることを特徴とする、豆挽き装置。
【請求項２】
前記第一の調節機構は第一の調節リングと固定部材とを含み、
前記第一の調節リングは、軸方向において第一の位置から第二の位置まで延びている第一のレール構造を有し、
前記豆挽き室は係合部を含み、
前記係合部は、前記豆挽き室の外側壁に位置し、且つ、前記第一のレール構造に沿って摺動し前記第一の調節機構と前記豆挽き室との間の軸方向における相対位置を調節できるように構成され、
前記固定部材は周方向において前記第一の調節リングを固定することを特徴とする、請求項１に記載の豆挽き装置。 
【請求項３】
前記第一のレール構造は前記第一の調節リングの内面に位置するネジ構造であり、
前記第一の調節リングの外側壁にロック溝が設けられ、
前記豆挽き室にロック部が設けられ、
前記固定部材は、前記ロック部に取り付けられて前記ロック溝に挿入されることができるように構成されることを特徴とする、請求項２に記載の豆挽き装置。
【請求項４】
前記第一のレール構造は、前記第一の調節リングの外面に位置する斜面構造であり、
前記固定部材は前記第一の調節リングに固定接続され、
前記豆挽き室は位置決め部を有し、
前記固定部材は、前記係合部が前記斜面構造に沿って摺動するとき、前記位置決め部に沿って摺動して前記第一の調節リングを固定することができることを特徴とする、請求項２に記載の豆挽き装置。
【請求項５】
前記位置決め部は、前記斜面構造と平行に設けられている波状のレール構造であることを特徴とする、請求項４に記載の豆挽き装置。
【請求項６】
前記研磨アセンブリは、凸起部およびバックル部を含む外刃スリーブをさらに含み、
前記外刃は前記外刃スリーブの中に固定して取り付けられ、
前記凸起部は前記第二の調節機構にレールを通じて接続されるように構成され、
前記豆挽き室はバックル受け溝を有し、前記バックル部は前記バックル受け溝に係合され、前記外刃の周方向における移動を制限することを特徴とする、請求項１に記載の豆挽き装置。
【請求項７】
前記第二の調節機構は、内面にネジレールを設けられている第二の調節リングを含み、
前記凸起部は、前記ネジレールに沿って移動することで前記外刃と前記内刃との間の距離を調節することができるように構成されることを特徴とする、請求項６に記載の豆挽き装置。
【請求項８】
前記第二の調節機構は押圧シートをさらに含み、
前記第二の調節リングは、回転歯車と、前記回転歯車を支持するエッジ部とを含み、
前記押圧シートは、前記エッジ部に位置し、前記第一の調節機構と固定接続されるように構成されることを特徴とする、請求項７に記載の豆挽き装置。
【請求項９】
前記第二の調節機構は、研磨度選択ノブおよび伝動アセンブリをさらに含み、
前記伝動アセンブリは前記第二の調節リングと噛み合って接続され、前記研磨度選択ノブが回されることで、前記伝動アセンブリは回転駆動され、且つ前記第二の調節リングは回転駆動されるように構成されることを特徴とする、請求項７に記載の豆挽き装置。
【請求項１０】
請求項１〜９のいずれか１項に記載の豆挽き装置を含む、豆挽き機能付きコーヒーメーカー。
【発明の詳細な説明】
【技術分野】
【０００１】
本出願は、豆挽き装置及び豆挽き機能付きコーヒーメーカーに関する。
本出願は、２０１７年１２月２６日に出願された「豆挽き装置及び豆挽き機能付きコーヒーメーカー」を主題とする中国特許出願第２０１７１１４３０９４８．０号を優先権の基礎とし、その全体を参照することで本出願に組み込む。
【背景技術】
【０００２】
コーヒーは広く愛されている飲料であり、コーヒーの品質は、コーヒー豆の種類と品質に影響されるのみならず、コーヒー粉の品質からの影響も無視できない。コーヒー粉の品質はコーヒーミル装置の選択に大きく依存する。
【０００３】
従来、コーヒー豆を挽く装置は、研磨度オプションを変更選択することによってコーヒー粉の粒度を調整することができるが、部品の加工誤差と組立誤差等により、同一ロットまたは異なるロットの豆挽き装置の間で、同じ研磨度オプションでコーヒー豆を挽いても、挽かれたコーヒー豆の粉収量及び粒度が異なる場合があり、均一性の要求を満たすことが難しくなる。
【発明の概要】
【発明が解決しようとする課題】
【０００４】
これに基づき、部品の加工及び組立の精度を向上させることなく、上記均一性の要求を満足できる豆挽き装置及び豆挽き機能付きコーヒーメーカーを提供する必要がある。
【課題を解決するための手段】
【０００５】
豆挽き装置であって、研磨アセンブリと調節アセンブリとを含み、前記研磨アセンブリは豆挽き室と外刃と内刃とを含み、前記外刃および前記内刃は前記豆挽き室の内部に位置し、前記調節アセンブリは少なくとも二段階の調節機構を含み、前記少なくとも二段階の調節機構は第一の調節機構と第二の調節機構とを含み、前記第一の調節機構と前記豆挽き室とはレールを通じて接続され、前記第二の調節機構と前記外刃とはレールを通じて接続され、且つ前記第一の調節機構と前記第二の調節機構との軸方向における位置は相対的に固定され、前記第一の調節機構および前記第二の調節機構は、前記外刃の高さを調節することで前記外刃と前記内刃との間の距離を調節する。
【０００６】
一実施例において、前記第一の調節機構は第一の調節リングと固定部材とを含み、前記第一の調節リングは軸方向において第一の位置から第二の位置まで延びている第一のレール構造を有し、前記豆挽き室は係合部を含み、前記係合部は、前記豆挽き室の外側壁に位置し、且つ、前記第一のレール構造に沿って摺動し前記第一の調節機構と前記豆挽き室との間の軸方向における相対位置を調節でき、前記固定部材は周方向において前記第一の調節リングを固定する。 
【０００７】
一実施例において、前記第一のレール構造は前記第一の調節リングの内面に位置するネジ構造であり、前記第一の調節リングの外側壁にロック溝が設けられ、前記豆挽き室にロック部が設けられ、前記固定部材は、前記ロック部に取り付けられて前記ロック溝に挿入されることができる。
【０００８】
一実施例において、前記第一のレール構造は前記第一の調節リングの外面に位置する斜面構造であり、前記固定部材は前記第一の調節リングに固定接続され、前記豆挽き室は位置決め部を有し、前記固定部材は、前記係合部が前記斜面構造に沿って摺動するとき、前記位置決め部に沿って摺動して前記第一の調節リングを固定することができる。
【０００９】
一実施例において、前記位置決め部は、前記斜面構造と平行に設けられている波状のレール構造である。
【００１０】
一実施例において、前記研磨アセンブリは凸起部およびバックル部を含む外刃スリーブをさらに含み、前記外刃は前記外刃スリーブの中に固定して取り付けられ、前記凸起部は前記第二の調節機構にレールを通じて接続されるように構成され、前記豆挽き室はバックル受け溝を有し、前記バックル部は前記バックル受け溝に係合され、前記外刃の周方向における移動を制限する。
【００１１】
一実施例において、前記第二の調節機構は内面にネジレールを設けられている第二の調節リングを含み、前記凸起部は、前記ネジレールに沿って移動することで前記外刃と前記内刃との間の距離を調節することができる。
【００１２】
一実施例において、前記第二の調節機構は押圧シートをさらに含み、前記第二の調節リングは回転歯車と、前記回転歯車を支持するエッジ部とを含み、前記押圧シートは、前記エッジ部に位置し、前記第一の調節機構と固定接続されるように構成される。
【００１３】
一実施例において、前記第二の調節機構は研磨度選択ノブおよび伝動アセンブリをさらに含み、前記伝動アセンブリは前記第二の調節リングと噛み合って接続され、前記研磨度選択ノブが回されることで、前記伝動アセンブリは回転駆動され、且つ前記第二の調節リングは回転駆動される。
【００１４】
豆挽き機能付きコーヒーメーカーであって、前述のいずれかの豆挽き装置を含む。
【発明の効果】
【００１５】
本願は、部品の加工および組立の精度を向上させることなく、豆挽き装置に少なくとも二段階の調節機構を配置することで、内刃と外刃との間の距離を調節する。第一の調節機構は豆挽き室と摺動可能に接続され、第二の調節機構は外刃と摺動可能に接続され、且つ第一の調節機構と第二の調節機構との軸方向における位置は相対的に固定されている。第一の調節機構および第二の調節機構をそれぞれ独立して調節することで、外刃の軸方向における移動を実現することができ、これにより、外刃と内刃との間の距離の正確な調節を実現できる。複数段階の調節の設置により、同一ロット又は異なるロットの複数の豆挽き装置の間で、同じ設定条件であれば、挽かれるコーヒー豆の粉収量及び粒度の一致性がよく、且つ均一で安定的であり、コーヒーの味や舌触りが保証される。
【図面の簡単な説明】
【００１６】
【図１】本出願の一実施例に係る豆挽き装置の分解模式図である。
【図２】本出願の一実施例における第一の調節機構の調節の模式図（その１）である。
【図３】図２における第一の調節機構の調節の模式図（その２）である。
【図４】本出願の別の実施例における第一の調節機構の調節の模式図（その１）である。
【図５】図４における第一の調節機構の調節の模式図（その２）である。
【図６】本出願の一実施例における外刃と外刃スリーブとの組立の模式図である。
【図７】本出願の一実施例に係る豆挽き装置の斜視模式図である。
【発明を実施するための形態】
【００１７】
本出願をより明確にするために、以下では図面を参照して実施例を以って本出願を詳細に説明する。
【００１８】
図１を参照すると、本出願の実施例は、研磨アセンブリおよび調節アセンブリを含む、豆挽き装置１０を提供する。研磨アセンブリは豆挽き室１１０と、外刃１２０と、内刃１３０とを含んでもよい。外刃１２０および内刃１３０は、豆挽き室１１０の内部に配置されている。調節アセンブリは、少なくとも二段階の調節機構を含む。少なくとも二段階の調節機構は第一の調節機構および第二の調節機構を含んでもよい。第一の調節機構と豆挽き室１１０とはレールを通じて接続され、第二の調節機構と外刃１２０とはレールを通じて接続され、且つ第一の調節機構と第二の調節機構との軸方向における位置は相対的に固定されている。第一の調節機構および前記第二の調節機構は、外刃１２０の高さを調節することで外刃１２０と内刃１３０との間の距離を調節する。
【００１９】
本出願の実施例に提供される豆挽き装置１０は、部品の加工および組立の精度を向上させることなく、豆挽き装置１０に少なくとも二段階の調節機構を配置することで、内刃１３０と外刃１２０との間の距離を調節する。第一の調節機構および第二の調節機構のいずれかの調節によっても、外刃１２０の軸方向における移動を実現でき、これにより、外刃１２０と内刃１３０との間の距離の正確な調節を実現できる。第一の調節機構によって内刃１３０と外刃１２０との間の距離を調節し、組立誤差および部品の加工誤差による豆挽き装置１０の粉収量および粒度が異なる問題を解決する。そして、必要に応じて第二の調節機構を利用してコーヒー粉の異なる粒度に対応する研磨度オプションの選択を調節し、挽き出したコーヒー粉の粒度を決定する。もちろん、内刃１３０と外刃１２０との間の距離の調節がより正確にできるように、調節機構の数をさらに増やしてもよい。多段階調節の設置により、同一ロットまたは異なるロットの複数の豆挽き装置１０の間で、同じ設定条件であればコーヒー豆の挽き粉の粉収量および粒度の一致性がよくなり、且つ均一で安定的であり、コーヒーの味や舌触りが保証される。
【００２０】
図２および図３を併せて参照すると、第一の調節機構は第一の調節リング２１２および固定部材２１４Ａを含む。固定部材２１４Ａは、周方向において第一の調節リング２１２を固定するものである。第一の調節リング２１２は、軸方向において第一の位置から第二の位置まで延びている第一のレール構造を有する。本実施例において、第一のレール構造は、第一の調節リング２１２の内面に位置するネジ構造２１２２である。豆挽き室１１０は係合部１１２Ａを含む。係合部１１２Ａは、豆挽き室１１０の外側壁に設けられた凸状構造であってもよく、且つ、ネジ構造２１２２に沿って摺動可能で、これにより第一の調節機構と豆挽き室１１０との間の軸方向における相対位置を調節し、外刃１２０と内刃１３０との間の距離を調節することができる。具体的には、係合部１１２Ａをネジ構造２１２２のネジレールに置き、第一の調節リング２１２を回転させ、係合部１１２Ａをネジ構造２１２２のネジレールに沿って回転させることができ、第一の調節リング２１２を係合部１１２Ａに対して上下に移動させ、これにより第一の調節機構と豆挽き室１１０との間の相対位置の変化を実現する。第一の調節リング２１２の外側壁にロック溝２１２６が設けられている。豆挽き室１１０にロック部１１４が設けられている。第一の調節リング２１２が所望の位置まで調節されたとき、固定部材２１４Ａはロック部１１４に取り付けられてロック溝２１２６に挿入され、これで第一の調節リング２１２の周方向における位置は固定される。本実施例において、固定部材２１４Ａは固定用係止シートである。固定用係止シートは、挿入端と装着端とを有する。選択的に、ロック部１１４には、溝型構造が設けられ、固定用係止シートの装着端を固定して取り付けることができる。装着端がロック部１１４の溝型構造内に固定して取り付けられると、挿入端は第一の調節リング２１２の外側壁のロック溝２１２６内に挿入することができ、これにより周方向において第一の調節リング２１２の固定が実現できる。装着端は、ネジによってロック部１１４の溝型構造に固定することができる。固定部材２１４Ａを利用した固定により、研磨度オプションが調節・選定された後、第一の調節リング２１２が摺動して外刃１２０と内刃１３０との間の距離が変化し、挽くコーヒー粉の品質が影響されることが回避できる。
【００２１】
図４および図５を参照すると、別の実施例において、第一の調節機構は第一の調節リング２１２および固定部材２１４Ｂを含む。固定部材２１４Ｂは、周方向において第一の調節リング２１２を固定するものである。第一の調節リング２１２は、軸方向において第一の位置から第二の位置まで延びている第一のレール構造を有する。本実施例において、第一のレール構造は、第一の調節リング２１２の外面に位置する斜面構造２１２４である。豆挽き室１１０は係合部１１２Ｂを含む。係合部１１２Ｂは、豆挽き室１１０の外側壁に設けられたフック状構造であってもよく、且つ、斜面構造２１２４に沿って摺動して第一の調節機構と豆挽き室１１０との間の軸方向における相対位置を調節することができる。具体的には、係合部１１２Ｂの先端は斜面構造２１２４の上表面に当接可能であり、第一の調節リング２１２が回転すると、係合部１１２Ｂは斜面構造２１２４の上表面に沿って摺動し、第一の調節リング２１２は豆挽き室１１０に対して上下に移動する。本実施例において、固定部材２１４Ｂは第一の調節リング２１２に固定接続されていてもよい。一実施例において、固定部材２１４Ｂは斜面構造２１２４の末端に取り付けられている。第一の調節リング２１２が回転するとき、固定部材２１４Ｂは従って回転させられる。豆挽き室１１０は位置決め部１１６を有してもよく、係合部１１２Ｂが斜面構造２１２４に沿って摺動するとき、固定部材２１４Ｂは位置決め部１１６に沿って摺動し、軸方向において第一の調節リング２１２を固定することができる。
【００２２】
一実施例において、位置決め部１１６は波状のレール構造であり、波状のレール構造は斜面構造２１２４と平行に設けられている。波状のレール構造は軸方向において第一の位置から第二の位置まで延びている。固定部材２１４Ｂは、波状のレール構造を摺動する過程において、波状のレール構造の凹部まで摺動すると固定される。その結果、第一の調節リング２１２の周方向における固定が実現される。
【００２３】
図１および図６を併せて参照すると、研磨アセンブリは外刃スリーブ１４０をさらに含んでもよい。外刃１２０は、外刃スリーブ１４０の中に固定して取り付けられている。外刃スリーブ１４０は凸起部１４２およびバックル部１４４を含む。凸起部１４２は、第二の調節機構にレールを通じて接続されるためのものである。豆挽き室１１０はバックル受け溝１１８を有し、バックル部１４４はバックル受け溝１１８に係合され、外刃１２０の周方向における移動を制限する。
【００２４】
図７を参照すると、一実施例において、第二の調節機構は第二の調節リング２２２を含んでよく、第二の調節リング２２２の内面にネジレール２２２２が設けられ、凸起部１４２は、ネジレール２２２２に沿って移動して外刃１２０と内刃１３０との間の距離を調節することができる。第二の調節リング２２２が回転すると、バックル部１４４がバックル受け溝１１８に係合して固定されているため、外刃１２０および外刃スリーブ１４０の周方向における移動が制限され、前記外刃スリーブ１４０における凸起部１４２はネジレール２２２２に沿って摺動し、外刃１２０の軸方向における上下移動を実現する。選択的に、第二の調節機構は押圧シート２２２４をさらに含む。第二の調節リング２２２は、回転歯車と、回転歯車を支持するエッジ部とを含み、押圧シート２２２４はエッジ部に位置する。押圧シート２２２４は、第一の調節機構と固定接続するためのものとして機能することができる。具体的には、第一の調節リング２１２の外縁に押圧シート２２２４の位置に対応する切り欠きが設けられ、切り欠き部位および押圧シートに、位置が互いに対応する貫通穴またはネジ穴が設けられ、位置の対応する二つの貫通穴またはネジ穴に固定釘またはネジが挿入されると、第二の調節リング２２２と第一の調節リング２１２が固定接続されながらも、第二の調節リング２２２の回転歯車は独立的に回転運動することができ、すなわち第二の調節リング２２２の回転歯車の回転は必ずしも第一の調節リング２１２を従って回転させるとは限らない。
【００２５】
内刃１３０は、豆挽き室１１０の底部に豆挽き軸１５０により固定されてもよい。外刃１２０と内刃１３０は同軸に嵌められている。第二の調節機構は研磨度選択ノブ２２４および伝動アセンブリ２２６をさらに含んでもよい。伝動アセンブリ２２６は第二の調節リング２２２と噛み合って接続され、研磨度選択ノブ２２４が回されることで、伝動アセンブリ２２６が回転駆動され、従って第二の調節リング２２２が回転駆動される。伝動アセンブリ２２６は、伝動歯車２２６２および研磨度選択歯車２２６４を含んでよい。研磨度選択歯車２２６４は研磨度選択ノブ２２４に接続され、伝動歯車２２６２はそれぞれ研磨度選択歯車２２６４および第二の調節リング２２２に噛み合って接続されている。研磨度選択ノブ２２４が回されて所望な研磨度オプションに調節されると同時に、研磨度選択ノブ２２４は、研磨度選択歯車２２６４、伝動歯車２２６２および第二の調節リング２２２を順に回転駆動して、研磨度オプションの変更選択を実現する。
【００２６】
豆挽き装置１０は、研磨アセンブリに通じる原料出口が設けられている豆箱アセンブリをさらに含んでもよい。
【００２７】
本出願は、機械本体と、制御装置と、前述のいずれか１つの豆挽き装置１０とを含む、豆挽き機能付きコーヒーメーカーをさらに提供する。制御装置および豆挽き装置１０は、機械本体に取り付けられている。
【００２８】
上述した実施例の各技術的特徴は任意に組み合わせることができる。記述の簡潔化のために、上述した実施例における各技術的特徴のあらゆる組合せについて説明していないが、これらの技術的特徴の組合せは矛盾しない限り、本明細書に記述されている範囲内であると考えられるべきである。
【００２９】
上述した実施例は、本願のいくつかの実施形態を示したものにすぎず、その記述が具体的且つ詳細であるが、特許請求の範囲を限定するものと解釈されるべきではない。なお、当業者にとって、本願の趣旨から逸脱しない範囲で、複数の変形及び改良を行うことができ、これらもすべて本願の保護範囲内である。従って、本発明の保護範囲は、特許請求の範囲に準ずるべきである。
【符号の説明】
【００３０】
１０ 豆挽き装置
１１０ 豆挽き室
１１２Ａ、１１２Ｂ 係合部
１１４ ロック部
１１６ 位置決め部
１１８ バックル受け溝
１２０ 外刃
１３０ 内刃
１４０ 外刃スリーブ
１４２ 凸起部
１４４ バックル部
１５０ 豆挽き軸
２１２ 第一の調節リング
２１２２ ネジ構造
２１２４ 斜面構造
２１２６ ロック溝
２１４Ａ、２１４Ｂ 固定部材
２２２ 第二の調節リング
２２２２ ネジレール
２２２４ 押圧シート
２２４ 研磨度選択ノブ
２２６ 伝動アセンブリ
２２６２ 伝動歯車
２２６４ 研磨度オプション歯車
【図１】
2021508530.tif 000003
【図２】
2021508530.tif 000004
【図３】
2021508530.tif 000005
【図４】
2021508530.tif 000006
【図５】
2021508530.tif 000007
【図６】
2021508530.tif 000008
【図７】
2021508530.tif 000009
【国際調査報告】
2021508530.tif 000010
2021508530.tif 000011
2021508530.tif 000012
2021508530.tif 000013
2021508530.tif 000014
2021508530.tif 000015